(57)【要約】【課題】改札機の移設作業において、作業負担を軽減して工期を短縮できると共に、工事のコストを低減することができる改札機用架台を提供する。【解決手段】改札機を載置し固定する改札機用架台１に、床面ＦＬの上に所定間隔をおいて並列に載置された、上面部１１ａ及び脚部１１ｂを有する一対の架台１１と、架台１１の間に架け渡されて固定される通路板１２と、架台１１に係止され、架台１１の上面部１１ａと床面ＦＬとを架け渡す板状のスロープ１３とを設ける。また、架台１１の上面部１１ａ及び通路板１２により形成される天井面は、改札機が載置され固定できるようになされ、さらに、天井面及びスロープ１３には、改札機の利用者が通行するための通路が形成される。【選択図】図５
0003157815.tif 000002
【実用新案登録請求の範囲】
【請求項１】
施設に設けられた床面の上に載置され、改札機を載置し固定する改札機用架台であって、
前記床面の上に載置され該床面から立設する脚部と、
前記脚部に支持され且つ前記床面と平行をなす天井面と、
前記天井面と前記床面との間に架け渡されたスロープとを備え、
前記天井面には、前記改札機が載置され固定するための領域が形成され、
さらに、前記天井面及び前記スロープには、前記改札機の利用者が通行するための通路が形成されていることを特徴とする改札機用架台。
【請求項２】
施設に設けられた床面の上に載置され、改札機を載置し固定する改札機用架台であって、
前記床面の上に所定間隔をおいて並列に載置された、上面部及び脚部を有する一対の架台と、
前記１対の架台の間に架け渡されて固定される通路板と、
前記架台に係止され、該架台の上面部と床面とを架け渡す板状のスロープとを備え、
前記架台の上面部及び前記通路板により形成される天井面は、前記床面と平行をなし、前記改札機が載置され固定するための領域が形成され、
さらに、前記天井面及び前記スロープには、前記改札機の利用者が通行するための通路が形成されていることを特徴とする改札機用架台。
【請求項３】
前記天井面と前記床面との間に、前記改札機を駆動制御するためのケーブル線を挿通させる配線スペースが形成されていることを特徴とする請求項１又は請求項２に記載の改札機用架台。
【請求項４】
前記架台は、長板状に形成された上面部と、該上面部の両端から直角に折れ曲がって延びる脚部とを有する断面視コの字状になされ、一方側の脚部に鍔部が突設し、他方側の脚部には係止爪が設けられ、
前記通路板は、前記一対の架台のそれぞれの鍔部の上に両端部が載置され、固定手段により着脱自在に固定され、
前記スロープは、前記架台の係止爪にその一端部が着脱自在に係止され、その他端部が床面に載置されることを特徴とする請求項２に記載の改札機用架台。
【考案の詳細な説明】
【技術分野】
【０００１】
本考案は、改札機を設置するために用いられる改札機用架台に関し、例えば、鉄道の駅構内の工事の際に、所定期間だけ、改札機を仮設置する際に用いられる仮設用の改札機用架台に関する。
【背景技術】
【０００２】
従来から、鉄道の駅や空港等の施設の改札（搭乗口）では、改札業務を無人で行う自動改札機が用いられており、例えば、特許文献１には、図１４に示す自動改札機Ｗが開示されている。
また、上記施設（特に、鉄道の駅）においては、たびたび、施設の改修やレイアウト変更等の工事が行われているが、当該工事のエリアに改札が含まれることがあり、このような場合には、工事が終了するまでの期間、改札に設置されている自動改札機Ｗを移設することが行われている。
ここで、従来から行われている、自動改札機Ｗの移設工事の手順について、図１５及び図１６を参照しながら簡単に説明する。
【０００３】
図１５に示すように、自動改札機Ｗを移設する場合、先ず、移設先のエリア（仮設エリア）の床面ＦＬの床材を剥がして、所定深さ分掘り起こす。
次に、掘り起こした仮設エリアに、自動改札機を駆動制御するための各種ケーブル（信号線、電源供給線等）の通路となる通線ピット（配線用ダクト部材）１０１を配置して、その上から、自動改札機毎に、矩形状のチャンネルベース（基礎部材）１１０を取り付ける。
なお、図１６に示すように、各チャンネルベース１１０は、仮設エリアの掘り起こされた面に、アンカーボルト１１２により固定されることが一般的である。
最後に、仮設エリアに固定された各チャンネルベース１１０の上に、自動改札機Ｗ（図１４参照）を取り付け、掘り起こされた床面に通路を設けて移設工事が完了する。
【０００４】
また、仮設期間が終了すると（施設の改修やレイアウト変更等の工事が終了すると）、仮設エリアに設置された自動改札機Ｗは、当該仮設エリアから取り外され、所定の改札エリアに戻される。この場合、仮設エリアに対して、床面の埋め戻し作業などの復旧作業が施される。
【先行技術文献】
【特許文献】
【０００５】
【特許文献１】特開平５−２０５１６号公報
【考案の概要】
【考案が解決しようとする課題】
【０００６】
しかしながら、上述した自動改札機の移設工事は、作業労力が大きく移設工事に長時間かかると共に、工事コストが高額になるという技術的課題を有している。
具体的には、従来技術の移設工事は、仮設エリアに自動改札機を移設する際に、仮設エリアの床面を掘り起こし、通線ピット（配線用ダクト部材）１０１を配置して、当該掘り起こした床面に、アンカーボルト１１２でチャンネルベース１１０を固定する作業が必要であり、移設工事に長時間かかっていた。また、床面を掘り起こす土木作業が必要であるため、工事コストが高額になっていた。
さらに、従来技術の移設工事は、仮設期間が終了した際に、仮設エリアの復旧作業（床面の埋め戻し作業、タイル等の貼り付け作業）が必要であり、その復旧作業に、多大な労力と費用が費やされていた。
【０００７】
本考案は、上記技術的課題を解決するためになされたものであり、本考案の目的は、改札機の移設作業において、作業負担を軽減して工期を短縮させると共に、工事のコストを低減することができる改札機用架台を提供することにある。
【課題を解決するための手段】
【０００８】
上記課題を解決するためになされた本考案は、施設に設けられた床面の上に載置され、改札機を載置し固定する改札機用架台であって、前記床面の上に載置され該床面から立設する脚部と、前記脚部に支持され且つ前記床面と平行をなす天井面と、前記天井面と前記床面との間に架け渡されたスロープとを備え、前記天井面には、前記改札機が載置され固定するための領域が形成され、さらに、前記天井面及び前記スロープには、前記改札機の利用者が通行するための通路が形成されていることを特徴としている。
【０００９】
このように本考案の改札機用架台は、施設の床面に載置され、その天井面に、改札機が載置され固定できるようになされ、さらに、天井面及びスロープに、改札機の利用者が通行するための通路が形成されている。
したがって、本考案の改札機用架台を用いて改札機を設置した場合には、上述した従来技術の移設工事のように（図１５、図１６参照）、床面を掘り起こす土木工事や掘り起こした床面を埋めて通路を設ける工事が不要となる。
そのため、本考案の改札機用架台を用いて改札機の移設工事を行えば、移設工事の工数を削減することができ、その結果、作業労力が軽減され工期を短縮することができると共に、工事のコストを低減することができる。
【００１０】
また、上記課題を解決するためになされた本考案は、施設に設けられた床面の上に載置され、改札機を載置し固定する改札機用架台であって、前記床面の上に所定間隔をおいて並列に載置された、上面部及び脚部を有する一対の架台と、前記１対の架台の間に架け渡されて固定される通路板と、前記架台に係止され、該架台の上面部と床面とを架け渡す板状のスロープとを備え、前記架台の上面部及び前記通路板により形成される天井面は、前記床面と平行をなし、前記改札機が載置され固定するための領域が形成され、さらに、前記天井面及び前記スロープには、前記改札機の利用者が通行するための通路が形成されていることを特徴としている。
このように、本考案の改札機用架台を用いて改札機を設置することにより、上述した従来技術の移設工事のように（図１５、図１６参照）、床面を掘り起こす土木工事や掘り起こした床面を埋めて通路を設ける工事が不要となるため、作業労力が軽減され工期を短縮することができると共に、工事のコストを低減することができる。
【００１１】
また、前記天井面と前記床面との間に、前記改札機を駆動制御するためのケーブル線を挿通させる配線スペースが形成されていることが望ましい。
このように、本考案の改札機用架台は、配線スペースが形成されているため、改札機用架台だけを用意しておけばよく、別途でダクト部材を準備する必要がなく、部品の管理が簡素化される。
【００１２】
また、前記架台は、長板状に形成された上面部と、該上面部の両端から直角に折れ曲がって延びる脚部とを有する断面視コの字状になされ、一方側の脚部に鍔部が突設し、他方側の脚部には係止爪が設けられ、前記通路板は、前記一対の架台のそれぞれの鍔部の上に両端部が載置され、固定手段により着脱自在に固定され、前記スロープは、前記架台の係止爪にその一端部が着脱自在に係止され、その他端部が床面に載置されることが望ましい。
上記構成により、本考案の改札機用架台は、組み立て及び分解が自在にできるため、構成部品の搬入及び搬出作業の手間を軽減することができる。
【考案の効果】
【００１３】
本考案によれば、改札機の移設作業において、作業負担を軽減して工期を短縮できると共に、工事のコストを低減することができる改札機用架台を提供することができる。
【図面の簡単な説明】
【００１４】
【図１】本考案の実施形態の改札機用架台を側面から見た模式図であり、改札機用架台の上に自動改札機が載置された状態を示している。
【図２】本考案の実施形態の改札機用架台を上面から見た模式図であり、改札機用架台の上に自動改札機が載置された状態を示している。
【図３】本考案の実施形態の改札機用架台を正面から見た模式図であり、改札機用架台の上に自動改札機が載置された状態を示している。
【図４】本考案の実施形態の改札機用架台を上面から見た模式図である。
【図５】本考案の実施形態の改札機用架台の各構成部品を展開して示した模式図である。
【図６】本実施形態の改札機用架台を構成する架台の形状を示した模式図である。
【図７】本実施形態の改札機用架台を構成する通路板の形状を示した模式図である。
【図８】本実施形態の改札機用架台を構成するスロープの形状を示した模式図である。
【図９】本実施形態の改札機用架台を構成する通路補強板の形状を示した模式図である。
【図１０】本実施形態の改札機用架台を構成する接続板を示した模式図である。
【図１１】本実施形態の改札機用架台に自動改札機を取り付けるための手順を示した模式図である。
【図１２】本実施形態の改札機用架台に自動改札機を直接取り付けた状態を示した模式図である。
【図１３】本実施形態の改札機用架台を接続した使用例を示した模式図である。
【図１４】従来技術の自動改札機の斜視図である。
【図１５】従来技術の自動改札機の移設工事に工程を示す模式図である。
【図１６】従来技術の自動改札機の移設工事に工程を示す模式図である。
【考案を実施するための形態】
【００１５】
以下、本考案の実施形態の改札機用架台について図面に基づいて説明する。
先ず、本実施形態の改札機用架台の概略構成を図１〜図５に基づいて説明する。
図１は、本考案の実施形態の改札機用架台を側面から見た模式図であり、改札機用架台の上に自動改札機が載置された状態を示している。また、図２は、本考案の実施形態の改札機用架台を上面から見た模式図であり、改札機用架台の上に自動改札機が載置された状態を示している。また、図３は、本考案の実施形態の改札機用架台を正面から見た模式図であり、改札機用架台の上に自動改札機が載置された状態を示している。
また、図４は、本考案の実施形態の改札機用架台を上面から見た模式図であり、図５は、本考案の実施形態の改札機用架台の各構成部品を展開して示した模式図である。
なお、改札機用架台１に設置されるチャンネルベース及び自動改札機は、上述した従来技術と同じであるため、図１４〜図１６と同じ符号を付し、その説明を簡略化する。
また、以下では、設置対象となる自動改札機Ｗｎ（ｎは自然数）が、左側装置Ｗａと、右側装置Ｗｂとにより構成されている場合を例にする。
また、以下では、改札機用架台１の上に、チャンネルベース１１０ａ、１１０ｂを介して、自動改札機Ｗ１、Ｗ２を載置・固定する例を示すが、改札機用架台１の上に、自動改札機Ｗｎを直接載置して固定することもできるようになっている。
【００１６】
図１〜図３に示すように、本実施形態の改札機用架台１は、鉄道の駅等の施設の中に定められた仮設エリアの床面ＦＬの上に載置され、その上面に、チャンネルベース１１０ａ、１１０ｂ（図３参照）を介して自動改札機Ｗ１（Ｗａ、Ｗｂ）、Ｗ２（Ｗａ、Ｗｂ）が載置されて固定できるようになっている。また、改札機用架台１の上面には、自動改札機Ｗの利用者が通るための通路Ｌ（図２、図３の点線で示した領域）が形成される。
なお、本実施形態では、２セットの自動改札機Ｗ１、Ｗ２を固定する２通路用の改札機用架台１を説明するが、あくまでもこれは一例であり特にこれに限定されるものではない。改札機用架台１を構成する部品の寸法や、改札機用架台１の構成部品の組合せにより、任意の数の自動改札機Ｗｎを固定した任意の数の通路に対応することが可能である。
【００１７】
具体的には、図５に示すように、改札機用架台１は、所定間隔を開けて床面ＦＬに並列に載置された、上面部１１ａ及び脚部１１ｂを有する一対の架台１１と、１対の架台１１の上面部１１ａの間に架け渡されて固定される矩形状の通路板１２（２枚の通路板１２）と、床面ＦＬに載置された架台１１に係止され、架台１１の上面部１１ａと床面ＦＬとを架け渡すスロープ１３（４枚のスロープ１３）とを備えている。なお、通路板１２は、架台１１に固定された際、その上面部１２ａが架台１１の上面部１１ａと面一となるようになされている。
【００１８】
また、各架台１１の上面部１１ａと、各架台１１の上面部１１ａの間に架け渡された通路板１２とにより天井面が形成され、当該天井面（上面部１１ａ、１２ａ）の上に、チャンネルベース１１０ａ、１１０ｂ（図３参照）を介して、自動改札機Ｗ１（Ｗａ、Ｗｂ）、Ｗ２（Ｗａ、Ｗｂ）が載置されて固定できる領域が形成されている。
また、前記天井面（上面部１１ａ、１２ａ）と、スロープ１３とに、自動改札機Ｗの利用者の通路Ｌ（図２、図３参照）となる領域が形成されている。
なお、図３に示すチャンネルベース１１０ａは、自動改札機Ｗのうちの片側装置（左側装置Ｗａ又は右側装置Ｗｂ）を１台取り付けることが可能に構成され、チャンネルベース１１０ｂは、片側装置（左側装置Ｗａ又は右側装置Ｗｂ）を２台取り付けることができるように構成されている。
【００１９】
そして、図３に示すように、自動改札機Ｗ１は、改札機用架台１の左端に固定されているチャンネルベース１１０ａに、左側装置Ｗａが載置・固定され、改札機用架台１の略中央部に固定されているチャンネルベース１１０ｂの一方に、右側装置Ｗｂが載置・固定されることにより、改札機用架台１の上に設置される。
また、自動改札機Ｗ２は、改札機用架台１の右端に固定されているチャンネルベース１１０ａに、右側装置Ｗｂが取り付けられ、改札機用架台１の略中央部に固定されているチャンネルベース１１０ｂの一方に、左側装置Ｗａが取り付けられることにより、改札機用架台１の上に設置される。
なお、チャンネルベース１１０ａ、１１０ｂに自動改札機Ｗｎ（左側装置Ｗａ又は右側装置Ｗｂ）を固定する方法には、公知な技術が用いられる。
【００２０】
また、図５に示すように、通路板１２の裏面側には、断面Ｌ字状の通路補強板１４が取り付けられ、通路補強板１４の一端部が床面ＦＬに載置されるようになっている。この構成により、２つの架台１１の間に架け渡された通路板１２の剛性が強化されると共に、改札機用架台１を安定した状態で床面ＦＬ上に載置できるようになる。
また、２つの架台１１の間に架け渡された通路板１２の下面には、空間部Ｓが形成され、この空間部Ｓが、自動改札機Ｗ１、Ｗ２を駆動制御するための各種ケーブル（信号線、電源供給線等）を通すための配線ダクト（配線スペース）として機能するようになっている。
【００２１】
また、図４に示すように、通路板１２は、横幅寸法Ｌ１が、架台１１の長手方向の長さ寸法Ｌ２の半分よりも小さくなるように形成されている（「Ｌ１」＜「Ｌ２／２」）。
そして、２つの架台１１の間に、２枚の通路板１２が架け渡され固定された場合、それぞれの通路板１２の左右両側（図４に示す左右両側）に、隙間部ａ１、ａ２、ａ３が形成されるようになっている。
そして、上記の隙間部ａ１、ａ２、ａ３から、上述した空間部Ｓに挿通されている各種ケーブル（信号線、電源供給線等）を引き出し、前記天井面に載置された自動改札機Ｗ１（Ｗａ、Ｗｂ）、Ｗ２（Ｗａ、Ｗｂ）に接続できるようになっている。
なお、本実施形態の改札機用架台１の各構成部品（架台１１、通路板１２、スロープ１３、通路補強板１４）は、例えば、鉄やステンレス等の金属により形成される。
【００２２】
このように、本実施形態の改札機用架台１は、仮設エリアの床面ＦＬの上に載置できるため、上述した従来技術の移設工事のように（図１５、図１６参照）、仮設エリアの床面ＦＬを掘り起こす土木・建築工事を行う必要がない。
また、本実施形態の改札機用架台１は、その上面部に（自動改札機Ｗが載置されていない領域に）、利用者の通路Ｌが形成されるため、上述した従来技術の移設工事のように、掘り起こした床面に通路を設ける工事が不要となる。
【００２３】
このように、自動改札機Ｗの移設工事に改札機用架台１を用いることにより、移設工事の工数を削減することができ、その結果、作業者の労力を軽減して工期を短縮することができると共に、工事のコストを低減することができる。
以下、本実施形形態の改札機用架台１の各構成部品の形状を具体的に説明する。
【００２４】
先ず、架台１１の形状について、上述した図５と、図６とに基づいて説明する。
なお、図６は、本実施形態の改札機用架台を構成する架台の形状を示した模式図であり、図６（ａ）は、架台の平面を示した模式図であり、図６（ｂ）は、架台の側面を示した模式図である。
具体的には、架台１１は、長板状に形成された上面部１１ａと、当該上面部１１ａの両端から直角に折れ曲がって延びる脚部１１ｂ（図６（ｂ）参照）とを有する断面視コの字状になされ、その脚部１１ｂが床面ＦＬの上に載置され立設できるように形成されている。また、架台１１が床面ＦＬの上に載置された場合には、上面部１１ａは、床面ＦＬと平行をなすように構成されている。
【００２５】
また、図６に示すように、架台１１の一方側の脚部１１ｂには、上面部１１ａと平行をなす板状の鍔部１１ｃが２片突設している。そして、この鍔部１１ｃにより、通路板１２の一端が支持され、ボルト等の固定手段を介して、通路板１２が固定されるようになっている。
また、架台１１の他方側の脚部１１ｂには、架台１１の長手方向に沿って、複数の係止爪１１ｄが設けられている。そして、この係止爪１１ｄに、スロープ１３の一端側に形成された係止部１３ｃが係止されることにより、架台１１にスロープ１３が固定される。
また、図６（ｂ）に示すように、架台１１の各脚部１１ｂには、それぞれ、ボルト穴１１ｂ１が形成されている。このボルト穴１１ｂ１は、後述する接続板１５（図１０参照）の取り付けに利用される。
また、架台１１の上面部１１ａの両端部近傍には、チャンネルベース１１０ａを固定するためのボルト穴１１ｅ１が形成され、架台１１の上面部１１ａの中央部の近傍に、チャンネルベース１１０ｂを固定するためのボルト穴１１ｅ２が形成されている（なお、このボルト穴１１ｅ１、１１ｅ２は、架台１１に自動改札機Ｗを直接固定する場合にも利用される）。
【００２６】
次に、通路板１２の形状について、上述した図５と、図７とに基づいて説明する。
なお、図７は、本実施形態の改札機用架台を構成する通路板の形状を示した模式図であり、図７（ａ）は、通路板１２の平面を示した模式図であり、図７（ｂ）は、通路板１２の側面を示した模式図である。
図示するように、通路板１２は、矩形の板状に形成され、その両端部に、架台１１の鍔部１１ｃに載置された際に、架台１１に固定するためのボルト（或いはネジ）を挿通させるボルト穴１２ｂが形成されている。また、通路板１２の略中央部に、通路補強板１４を固定するためのボルトを挿通させるボルト穴１２ｃが形成されている。
【００２７】
次に、スロープ１３の形状について、上述した図５と、図８とに基づいて説明する。
なお、図８は、本実施形態の改札機用架台を構成するスロープの形状を示した模式図であり、図８（ａ）は、スロープ１３の平面を示した模式図であり、図８（ｂ）は、スロープ１３の側面を示した模式図であり、図８（ｃ）は、スロープ１３の正面を示した模式図である。
【００２８】
図示するように、スロープ１３は、矩形板状に形成され、その一端部には、略直角に折れ曲がった係止部１３ｃが形成されている。そして、この係止部１３ｃが、架台１１の係止爪１１ｄに係止され、他端側が床面ＦＬに載置されることにより、架台１１の上面部１１ａと床面ＦＬとを架け渡す斜面が形成される。
なお、スロープ１３の裏面１３ｂには、架台１１にスロープ１３を取り付けた際に、架台１１の係止爪１１ｄと相対向して配置されるリブ１３ｄが形成され、架台１１に対するスロープ１３の位置決めが出来るようになっている。
【００２９】
次に、通路補強板１４及び接続板１５の形状について、上述した図５と、図９及び図１０とに基づいて説明する。
なお、図９は、本実施形態の改札機用架台を構成する通路補強板の形状を示した模式図であり、図９（ａ）は、通路補強板１４の正面を示した模式図であり、図９（ｂ）は、通路補強板１４の側面を示した模式図である。また、図１０は、本実施形態の改札機用架台を構成する接続板を示した模式図である。
【００３０】
図９に示すように、通路補強板１４は、矩形板状の上面部１４ａおよび上面部１４ａから直角に折れ曲がった側面部１４ｂを備えたＬ字板状に形成され、その上面部１４ａの両端部に、通路板１２の裏面にボルトで固定するためのボルト穴１４ａ１が形成されている。
また、図１０に示すように、接続板１５は、長板状に形成され、その長手方向に沿って、複数のボルト穴１５ａが形成されている。
この接続板１５は、複数の改札機用架台１を接続する場合に利用するための部材であり、縦列に配置された２台の架台１１の脚部１１ｂに架け渡たされ、それぞれの架台１１の脚部１１ｂのボルト穴１１ｂ１にボルト止めすることにより、２台の架台１１を接続して固定できるようになっている。
【００３１】
続いて、本実施形態の改札機用架台を利用した自動改札機Ｗの移設工事の手順について、上述した図５と、図１１とを用いて説明する。
なお、図１１は、本実施形態の改札機用架台に自動改札機を取り付けるための手順を示した模式図であり、図１１（ａ）は、床面ＦＬに設置された改札機用架台を上面から見た模式図であり、図１１（ｂ）は、チャンネルベースが取り付けられた改札機用架台を上面から見た模式図であり、図１１（ｃ）は、チャンネルベースを介して自動改札機が取り付けられた改札機用架台を上面から見た模式図である。
【００３２】
先ず、自動改札機Ｗ１、Ｗ２の移設先となる仮設エリアに、改札機用架台１の構成部品（１対の架台１１、２枚の通路板１２、４枚のスロープ１３、各通路板１２に装着される通路補強板１４）を運び、仮設エリアの床面ＦＬの上に、改札機用架台１を組み立てる。
具体的には、先ず、図５に示すように、仮設エリアの床面ＦＬに、一対の架台１１を並列に載置する。この場合、一対の架台１１は、通路板１２を支持する鍔部１１ｃが互いに相対向するように配置される。また、各架台１１の間には、通路板１２の幅寸法分の間隔が開けられる。
【００３３】
次に、２枚の通路板１２の裏面に、それぞれ、通路補強板１４を取り付け、床面ＦＬに載置された一対の架台１１の鍔部１１ｃの上に、通路板１２の両端部を載置して、１対の架台１１の間に通路板１２を架け渡たす（２枚の通路板１２を架け渡す）。
そして、図５に示すように、鍔部１１ｃの上に載置された通路板１２の両端部を固定する（例えば、ボルト等の固定手段により固定する）。
なお、通路板１２は、架台１１の脚部１１ｂに形成された鍔部１１ｃに支持されると共に、通路補強板１４により床面ＦＬから支持される。また、通路板１２の下方側の空間部Ｓが配線ダクトになっている。
【００３４】
次に、図５に示すように、床面ＦＬに載置された各架台１１の係止爪１１ｄに、スロープ１３の係止部１３ｃを引っかけ係止すると共に、スロープ１３の他端を床面ＦＬに載置する（４個のスロープ１３が取り付けられる）。
これにより、架台１１の上面部１１ａ及び通路板１２と床面ＦＬとを架け渡す斜面が形成され、上面から見ると図１１（ａ）に示すように配置される。
【００３５】
次に、図１１（ａ）に示すように床面ＦＬに配置された改札機用架台１の上に、チャンネルベース１１０ａ、１１０ｂを載置してボルトにより固定する。
具体的には、床面ＦＬに配置された改札機用架台１の左右両側（図１１に示す左右両側）にそれぞれ、チャンネルベース１１０ａを載置し、チャンネルベース１１０ａと、架台１１の上面部のボルト穴１１ｅ１とにボルトを挿通して、チャンネルベース１１０ａを架台１１に固定する。
また、床面ＦＬに配置された改札機用架台１１の略中央部に、チャンネルベース１１０ｂを載置し、チャンネルベース１１０ｂと、架台１１の上面部のボルト穴１１ｅ２とにボルトを挿通して、チャンネルベース１１０ｂを架台１１に固定する。
これにより、図１１（ｂ）に示すように、改札機用架台１１の上に、２つのチャンネルベース１１０ａと、１つのチャンネルベース１１０ｂとが取り付けられる。
【００３６】
次に、チャンネルベース１１０ａ、１１０ｂが取り付けられた改札機用架台１１（図１１（ｂ）参照）の上に、それぞれ、周知な工法により、自動改札機Ｗ１、Ｗ２を載置・固定し、図１１（ｃ）に示すように、自動改札機Ｗ１、Ｗ２の移設工事が完了する。
【００３７】
また、自動改札機Ｗ１、Ｗ２の仮設期間が終了すると（施設の改修やレイアウト変更等の工事が終了すると）、当該自動改札機Ｗ１、２取り外す撤去作業を行う必要がある。
この撤去作業では、先ず、改札機用架台１から自動改札機Ｗ１、Ｗ２及びチャンネルベース１１０ａ、１１０ｂを取り外す。次に、上記手順で組み立てられた改札機用架台１を各構成部品に分解し、分解した各構成部品を仮設エリアから搬出することにより撤去作業が完了する。
このように、本実施形態の改札機用架台１は、仮設エリアの床面ＦＬに載置されているため（床面ＦＬを掘り起こしていないため）、仮設期間が終了して自動改札機Ｗ１、Ｗ２の撤去を行った後で、仮設エリアの復旧作業（床面の埋め戻し作業、タイル等の貼り付け作業）の必要がない。そのため、撤去作業にかかる労力及びコストが軽減される。
【００３８】
以上、説明したように、本実施形態によれば、自動改札機の移設作業において、作業者の負担を軽減して工期を短縮すると共に、工事のコストを低減することができる改札機用架台１を提供することができる。
なお、本考案は、上述した実施形態に限定されるものではなくその要旨の範囲内において種々の変形が可能である。
【００３９】
例えば、上述した実施形態では、自動改札機Ｗｎが、チャンネルベース１１０ａ、１１０ｂを介して改札機用架台１に取り付けられる例を示したが、図１２に示すように、改札機用架台１に直接自動改札機Ｗｎを取り付けるようにしてもよい。
この場合、改札機用架台１を構成する架台１１の上面部に、自動改札機Ｗｎを直接載置し、架台１１のボルト穴１１ｅ１、１１ｅ２と、自動改札機Ｗｎ側のネジ穴（図示せず）とを位置合わせして、ボルトを挿通させて固定する。
このように改札機用架台１に直接自動改札機Ｗｎを固定することにより、チャンネルベース１１０ａ、１１０ｂが不要になるため、工事部品の点数を削減できると共に、作業工数を削減することができる。
【００４０】
また、上述した実施形態では、２セットの自動改札機Ｗ１、Ｗ２を固定する２通路用の改札機用架台１を示したが、複数台の改札機用架台１を用いることにより、２通路より多い通路数の改札を構成することができる。例えば、２台の改札機用架台１を用意して、２台の改札機用架台１を連結することにより（上述した接続板１５を利用する）、図１３に示すように、４セットの自動改札機Ｗ１、Ｗ２、Ｗ３、Ｗ４が設置された４通路の改札を構成することができる。
【００４１】
また、例えば、上述した実施形態で示した改札機用架台１は、１対の架台１１（２つの架台１１）と、２枚の通路板１２と、４枚のスロープ１３と、各通路板１２に装着される通路補強板１４とにより構成されていたが、特にこれに限定されるものではない。
例えば、改札機用架台１は、図６に示し架台１１に比べての長さ寸法（長手方向の長さ寸方）が半分の架台１１（１対の架台１１）と、１枚の通路板１２（通路補強板１４を取り付けた通路板１２）と、２枚のスロープ１３とにより構成されていてもよい。この場合の改札機用架台１は、１セットの自動改札機Ｗが取り付けられる１通路用の改札機用架台１として機能する。
また、スロープ１３の長手方向の長さ寸法が、架台１１の長手方向の長さ寸法と同じに形成されていてもよい。この場合には、スロープ１３は２枚でよい。
【００４２】
また、上述した実施形態では、改札機用架台１は、複数の構成部品（１対の架台１１（２つの架台１１）、２枚の通路板１２、４枚のスロープ１３、各通路板１２に装着される通路補強板１４）により構成され、組み立て及び分解自在になされていたが特にこれに限定されるものではない。
例えば、改札機用架台１は、複数の構成部品を組み立てる構成ではなく、一体の構造により形成されていてもかまわない。
【符号の説明】
【００４３】
Ｗ、Ｗ１、Ｗ２、Ｗｎ、    自動改札機
Ｗａ    左側装置（自動改札機）
Ｗｂ    右側装置（自動改札機）
１    改札機用架台
１１    架台（改札機用架台）
１１ａ    上面部（架台（改札機用架台））
１１ｂ    脚部（架台（改札機用架台））
１１ｂ１    ボルト穴（架台（改札機用架台））
１１ｃ    鍔部（架台（改札機用架台））
１１ｄ    係止爪（架台（改札機用架台））
１１ｅ１、１１ｅ２    ボルト穴（架台（改札機用架台））
１２    通路板（改札機用架台）
１２ａ    上面部（通路板（改札機用架台））
１２ｂ、１２ｃ    ボルト穴（通路板（改札機用架台））
１３    スロープ（改札機用架台）
１３ｃ    係止部（スロープ（改札機用架台））
１３ｄ    リブ（スロープ（改札機用架台））
１４    通路補強板（改札機用架台）
１４ａ    上面部（通路補強板（改札機用架台））
１４ａ１    ボルト穴（通路補強板（改札機用架台））
１４ｂ    側面部（通路補強板（改札機用架台））
１５    接続板（改札機用架台）
１５ａ    ボルト穴（接続板（改札機用架台））
１１０ａ    チャンネルベース
１１０ｂ    チャンネルベース
【図１】
0003157815.tif 000003
【図２】
0003157815.tif 000004
【図３】
0003157815.tif 000005
【図４】
0003157815.tif 000006
【図５】
0003157815.tif 000007
【図６】
0003157815.tif 000008
【図７】
0003157815.tif 000009
【図８】
0003157815.tif 000010
【図９】
0003157815.tif 000011
【図１０】
0003157815.tif 000012
【図１１】
0003157815.tif 000013
【図１２】
0003157815.tif 000014
【図１３】
0003157815.tif 000015
【図１４】
0003157815.tif 000016
【図１５】
0003157815.tif 000017
【図１６】
0003157815.tif 000018